(57)【要約】【課題】地域の決められた区画に設置されたＣＣＴＶ(Closed Circuit Television)設備が正常に機能しているかを監視する。【解決手段】  地域の決められた区画に設置された複数のカメラ端局１００と監視局２００はネットワーク３００で接続されている。カメラ端局１００はカメラ装置１１０とカメラ制御装置１２０から構成されている。カメラ制御装置１２０は、ＩＰエンコーダ部１２１、カメラ制御部１２２、電源状態伝送部１２３、電源部１２４、常用電源部１２５、バックアップ電源部１２６、ＬＡＮ−ＳＷ１２７、メディアコンバータ１２８から構成されている。監視局２００は、メディアコンバータ２０１、ＬＡＮ−ＳＷ２０２、ＩＰデコーダ部２０３、モニタ２０４、管理サーバ２０５、カメラ装置操作端末２０６、管理サーバ２０５の停電監視処理部２０７から構成されている。【選択図】図１
2009260616.tif 000002
【特許請求の範囲】
【請求項１】
複数のＣＣＴＶ設備を監視するＣＣＴＶ設備状態監視システムであって、
複数ヶ所の故障を検出する故障検出手段を備え、
前記故障検出手段により前記ＣＣＴＶ設備の故障範囲を切り分けることを特徴とする
ＣＣＴＶ設備状態監視システム。
【請求項２】
ＣＣＴＶ設備の常用電源とバックアップ電源を監視する電源監視手段と、
前記常用電源と前記バックアップ電源の切替情報を監視局に送信する切替情報送信手段と、
前記切替情報を受信する前記監視局の受信手段と、
複数の前記ＣＣＴＶ設備が前記バックアップ電源に切り替わっているときに、前記バックアップ電源に切り替わっている前記ＣＣＴＶ設備が設置された位置で特定されるエリアを算出するエリア算出手段と、
前記エリアを停電と判定する停電判定手段を備えることを特徴とする請求項１に記載のＣＣＴＶ設備状態監視システム。
【発明の詳細な説明】
【技術分野】
【０００１】
本発明はＣＣＴＶ(Closed Circuit Television)設備状態監視システムに係り、特に地域の決められた区画に設置されたＣＣＴＶ設備が正常に機能しているかを監視するＣＣＴＶ設備状態監視システムに関するものである。
【背景技術】
【０００２】
従来のネットワークに接続されたＣＣＴＶ設備の状態監視は、ＣＣＴＶ設備が正常に機能しているか否かをネットワークを介して定期的に問い合わせを行いその状態を判断し、ＣＣＴＶ設備で撮影された監視映像や監視状態のデータをネットワークを介して監視センタに送り、監視センタのモニタにその状態を表示していた。監視員は、モニタに表示されるＣＣＴＶ設備の状態を監視しているので、モニタにＣＣＴＶ設備が故障中である表示が行なわれると、当該ＣＣＴＶ設備に関する情報を収集し、ＣＣＴＶ設備が故障したのであれば修理担当部署に連絡したり、あるいは現地に赴き修理などを行なうことができる。
【０００３】
この従来技術として特開２００４−９６６２６号公報（特許文献１）を挙げることができる。特許文献１に開示の技術では、監視用カメラとしてネットワークに接続できるＩＰカメラを使用し、監視側の問い合わせ手段からＩＰカメラのＩＰアドレスを使用して、ＩＰカメラに対して問合信号や応答信号を用いた通信を行う。そして、問合信号や応答信号の通信結果を画像データとともに監視側のディスプレイに表示する。監視員は、監視側のディスプレイに表示される画像を確認することで、監視用カメラが設置されているエリアと監視用カメラの異常を監視することができる。
【特許文献１】特開２００４−９６６２６号公報
【発明の開示】
【発明が解決しようとする課題】
【０００４】
しかしながら、特許文献１に開示の技術では、監視用カメラに異常が発生した場合、ディスプレイに「故障中」の表示がされるが、監視用カメラが異常なのか、ネットワークの通信が異常なのかなどを切り分けて判断することができなかった。このため、監視用カメラが設置されているところまで移動し、監視用カメラを点検しなければならないという問題があった。また、特許文献１に開示の技術では、複数のＣＣＴＶ設備で異常状態が発生した場合、その異常発生地域を特定する表示はされていないので、単独の異常なのか、特定の地域で発生している広域な異常なのかが分かりづらかった。
【０００５】
本発明はこのような状況に鑑みてなされたものであり、上記問題点を解決できるＣＣＴＶ設備状態監視システムを提供することを目的とする。
【課題を解決するための手段】
【０００６】
本発明のＣＣＴＶ設備状態監視システムは、複数のＣＣＴＶ設備を監視するＣＣＴＶ設備状態監視システムであって、複数ヶ所の故障を検出する故障検出手段を備え、前記故障検出手段により前記ＣＣＴＶ設備の故障範囲を切り分けることを特徴とする。
本発明のＣＣＴＶ設備状態監視システムは、ＣＣＴＶ設備の常用電源とバックアップ電源を監視する電源監視手段と、前記常用電源と前記バックアップ電源の切替情報を監視局に送信する切替情報送信手段と、前記切替情報を受信する前記監視局の受信手段と、複数の前記ＣＣＴＶ設備が前記バックアップ電源に切り替わっているときに、前記バックアップ電源に切り替わっている前記ＣＣＴＶ設備が設置された位置で特定されるエリアを算出するエリア算出手段と、前記エリアを停電と判定する停電判定手段を備えることを特徴とする。
【発明の効果】
【０００７】
本発明のＣＣＴＶ設備状態監視システムは、ＣＣＴＶ設備の異常発生ヶ所を切り分けて検出できるので、異常状態に迅速に対応することができる。
【発明を実施するための最良の形態】
【０００８】
以下、本発明の実施の形態について図面を参照して説明する。
【０００９】
（第１の実施の形態）
本発明の第１の実施の形態は、カメラ端局の異常状態を切り分けてＣＣＴＶ設備の異常状態を判断する例として、カメラ端局のバックアップ電源に切り換えたときの切り換え信号を利用する停電監視システムの例を挙げたもので、ＣＣＴＶ設備に供給される電源を監視することで、ＣＣＴＶ設備が設置されているエリアが停電となっているかを監視することができるシステムである。図１は、本発明の実施の形態に係る停電監視システムのシステム構成図である。以下、図１を用いて本発明の実施の形態に係る停電監視システムの構成について説明する。
【００１０】
本発明の停電監視システムは、図１に示すように複数のカメラ端局１００と監視員が常駐している監視局２００とから構成され、カメラ端局１００と監視局２００は、ネットワーク３００で接続されている。カメラ端局１００は、カメラ装置１１０とカメラ制御装置１２０から構成されている。カメラ制御装置１２０は、ＩＰエンコーダ部１２１、カメラ制御部１２２、電源状態伝送部１２３、電源部１２４、常用電源部１２５、バックアップ電源部１２６、ＬＡＮ−ＳＷ１２７、メディアコンバータ１２８から構成されている。また、監視局２００は、メディアコンバータ２０１、ＬＡＮ−ＳＷ２０２、ＩＰデコーダ部２０３、モニタ２０４、管理サーバ２０５、カメラ装置操作端末２０６から構成されている。
【００１１】
図１に示すカメラ端局１００を構成する各装置について説明する。カメラ装置１１０は、カメラ、ズームレンズ、カメラケース、旋回装置からなり、レンズをズームまたは旋回させながらレンズに映った映像を映像データに変換し、ＩＰエンコーダ部１２１とカメラ制御部１２２に出力する。カメラ装置１１０の電源は、電源部１２４から供給されている。ＩＰエンコーダ部１２１は、カメラ装置１１０から入力した映像データをＭＰＥＧ２によって圧縮を行いＩＰパケットに変換し、ＬＡＮ−ＳＷ１２７に出力する部位である。カメラ制御部１２２は、監視局２００から送信されるカメラ操作信号に基づいて、カメラ装置１１０をズームまたは旋回させるなどの制御を行う部位である。電源状態伝送部１２３は、電源が常用電源部１２５からバックアップ電源部１２６に切り替わった情報、またはバックアップ電源部１２６から常用電源部１２５に切り替わった情報である電源切替情報を電源部１２４から入力し、ＬＡＮ−ＳＷ１２７に出力する部位である。電源部１２４は、常用電源部１２５またはバックアップ電源部１２６の電源をカメラ装置１１０に供給する部位である。電源部１２４は、常用電源部１２５からの電源の供給が停止したときに、これを検出し、バックアップ電源起動指令信号をバックアップ電源部１２６に送り、常用電源部１２５からバックアップ電源部１２６に切り替える。また、電源部１２４は、常用電源部１２５からの電源の供給が復帰したときにこれを検出し、バックアップ電源部１２６から常用電源部１２５に切り替える。電源部１２４は、電源の切り替えを行ったときに電源切替情報を作成し、電源状態伝送部１２３に出力する。電源切替情報には、電源が切り替わった時刻、電源が切り替わったカメラ装置１１０が設置されているカメラ端局１００の名称であるカメラ端局名称、切り替わった電源(常用電源またはバックアップ電源)などが設定されている。常用電源部１２５は、カメラ端局の外に設置されている配電設備からカメラ装置１１０に電源を供給するための装置である。バックアップ電源部１２６は、常用電源部１２５から電源の供給が停止した場合に、カメラ装置１１０に電源を供給するための装置であり、予め決められた時間だけ電源を供給できる装置である。ＬＡＮ−ＳＷ１２７は、カメラ制御装置１２０のネットワークの中継機器であり、カメラ制御装置１２０をネットワークに接続する機器である。メディアコンバータ１２８は、異なる伝送媒体(例えば光ファイバーと銅線ケーブル)の接続を可能とするために、伝送する情報を相互に変換する機器である。
【００１２】
図１に示す監視局２００を構成する各装置について説明する。メディアコンバータ２０１は、カメラ端局１００のメディアコンバータ１２８と同様な機器であり、異なる伝送媒体(例えば光ファイバーと銅線ケーブル)の接続を可能とするために、伝送する情報を相互に変換する機器である。ＬＡＮ−ＳＷ２０２は、監視局２００のネットワークの中継機器であり、監視局２００をネットワークに接続する機器である。ＩＰデコーダ部２０３は、カメラ局１００から受信したＭＰＥＧ２によって圧縮されている映像データのＩＰパケットをＬＡＮ−ＳＷ２０２から入力し、ＩＰパケットから映像データを取り出し解凍し、モニタ２０４に映像データを出力する部位である。管理サーバ２０５は、監視局２００の全体を管理するサーバであり、ＲＡＭやＲＯＭ等の主記憶手段、及びＭＰＵやＣＰＵ等の制御手段を備えている。管理サーバ２０５は、カメラ端局１００から送信される電源切替情報をＬＡＮ−ＳＷ２０２から入力し、カメラ装置１１０が設置されているエリアが停電しているかを監視するサーバであり、管理サーバ２０５には停電監視処理部２０７が設けられている。停電監視処理部２０７は、エリアで停電しているかを監視する停電監視処理を実行する部位である。カメラ装置操作端末２０６は、監視員がモニタ２０４に表示される映像を見ながらカメラ装置１１０をズームまたは旋回させるなどの操作を行う装置である。監視員がカメラ装置操作端末２０６からカメラ装置１１０を操作すると、その操作がカメラ操作信号としてＬＡＮ−ＳＷ２０２に出力され、該当するカメラ装置１１０が設置されているカメラ端局１００にそのカメラ操作信号が送信される。
【００１３】
本発明の停電監視システムにおける図２示す停電監視図について説明する。図２に示す停電監視図は、地図にＣＣＴＶ設備であるカメラ端局１００が配置された位置を示すモニタ２０４に表示される画面であり、ＣＣＴＶ設備の停電状態情報に応じて停電エリアも表示するようになっている。図２に示す停電監視図には、設置されているカメラ端局１００のカメラ端局名称が表示される。カメラ端局１００のカメラ装置１１０がバックアップ電源部１２６から電源を供給されているときは、カメラ端局名称は赤色で表示される。また、２箇所のカメラ端局１００のカメラ装置１１０がバックアップ電源部１２６から電源を供給されているときは、カメラ端局１００の該当カメラ端局名称を赤色で表示するとともに、モニタ２０４に表示される画面の地図上のこれらカメラ端局間のエリア（区間）を図２のエリア１（斜線部エリア１で示す）のように赤色などで表示する。また、３箇所以上の複数のカメラ端局１００のカメラ装置１１０がバックアップ電源部１２６から電源を供給されているときは、それらカメラ端局１００を含んだ図２のエリア２（斜線部エリア２で示す）は停電していると判断され、該当するエリアは赤色などで表示される。
【００１４】
図３は管理サーバ２０５の停電監視処理部２０７が実行する停電監視処理の流れを示すフローチャートである。図３のフローチャートに示すステップ順に基づいて、停電監視処理を説明する。管理サーバ２０５が電源切替情報をＬＡＮ−ＳＷ２０２から入力すると、管理サーバ２０５は電源切替情報を停電監視処理部２０７に出力する。停電監視処理部２０７は、電源切替情報を入力し停電監視処理を開始する。
【００１５】
まず、停電監視処理部２０７は、入力した電源切替情報からカメラ端局名称を取り出す(ステップＳ１０１)。
【００１６】
停電監視処理部２０７は、図４に示すカメラ端局情報テーブルからカメラ端局名称を取り出すための取り出しインデックス(Ｉ)に初期値１をセットする（ステップＳ１０２）。
【００１７】
停電監視処理部２０７は、カメラ端局情報テーブルのＩ番目に記憶されているカメラ端局名称とステップＳ１０１で取り出した今回切り替えられた電源のカメラ端局名称が等しいかを判定する。カメラ端局名称が等しいときは、カメラ端局情報テーブルの停電判定フラグを記憶するＳ１０６に進む。また、カメラ端局名称が等しくないときは、カメラ端局情報テーブルの取り出しインデックス(Ｉ)を更新するステップＳ１０４に進む(ステップＳ１０３)。
【００１８】
停電監視処理部２０７は、カメラ端局情報テーブルから次のカメラ端局名称を取り出すために、取り出しインデックス(Ｉ)に１を加算することで、取り出しインデックス(Ｉ)を更新する（ステップＳ１０４）。
【００１９】
停電監視処理部２０７は、カメラ端局情報テーブルの全てのカメラ端局名称について判定したかをチェックするため、取り出しインデックス(Ｉ)とカメラ端局情報テーブルのカメラ端局名称の保存数ｎとを比較する。停電監視処理部２０７は、取り出しインデックス(Ｉ)が保存数ｎより大きければ、カメラ端局情報テーブルの全てのカメラ端局名称についてチェックが完了したので、停電監視処理を終了する。また、取り出しインデックス(Ｉ)が保存数ｎ以下であれば、カメラ端局情報テーブルの次のカメラ端局名称と比較するため、ステップＳ１０３に戻る(ステップＳ１０５)。
【００２０】
停電監視処理部２０７は、電源切替情報から切り替わった電源(常用電源またはバックアップ電源)を取り出し、この切り替わった電源をカメラ端局情報テーブルの停電判定フラグに記憶する。例えば、図４に示すカメラ端局情報テーブルのＮｏ(ｉ)のカメラ端局名称「ｂｂａ」の電源が常用電源部１２５からバックアップ電源部１２６に切り替えられたときは、カメラ端局情報テーブルのカメラ端局名称「ｂｂａ」に該当する停電判定フラグは、常用電源「０」からバックアップ電源「１」に変更し記憶される(ステップＳ１０６)。
【００２１】
停電監視処理部２０７は、カメラ端局情報テーブルの停電判定フラグに基づいて図２に示す停電監視図のカメラ端局名称の色を該当する色に変更する。例えば、カメラ端局情報テーブルのＮｏ(ｉ)のカメラ端局名称「ｂｂａ」に該当する停電判定フラグが常用電源「０」からバックアップ電源「１」に変更されたときは、カメラ端局名称「ｂｂａ」を赤色で表示する(ステップＳ１０７)。
【００２２】
停電監視処理部２０７は停止判定フラグが「１」であるカメラ端局が複数台あるかを判定する（ステップＳ１０８）。停止判定フラグが「１」であるカメラ端局が複数台あれば（ステップＳ１０８のＹｅｓ）停電監視図の当該算出された多角形の内部に該当するエリアの色を赤色に変更するステップ１０９に進む。また、停電監視処理部２０７は、停止判定フラグが「１」であるカメラ端局が１台以下のときは、当該カメラ端局のみの単独停電であると判定して（当該カメラ端局の内部の接続不良など）、特定のエリアは指定しないでステップＳ１１０に進む（ステップＳ１０８のＮｏ）。
【００２３】
停電監視処理部２０７は、停止判定フラグが「１」であるカメラ端局が複数台ある場合は、停止判定フラグが「１」であるカメラ端局が設置された位置を多角形の頂点とした多角形を算出しそのエリアは停電であると判定し、停電監視図の当該算出された多角形の内部に該当するエリアの色を赤色に変更する（ステップ１０９）。例えば、図３に示すカメラ端局情報テーブルのＮｏ２とＮｏ(ｉ)とＮｏ(ｉ＋２)の停止判定フラグは全てバックアップ電源である「１」が記憶されたので、Ｎｏ２のカメラ端局「ａａｂ」、Ｎｏ(ｉ)のカメラ端局「ｂｂａ」、Ｎｏ(ｉ＋２)のカメラ端局「ｂｂｃ」で囲まれたエリアは、停電と判定される。よって図２に示す停電監視図のエリア１とエリア２は赤色で表示し（ステップＳ１０９）、次にステップＳ１１０に進む。
【００２４】
停電監視処理部２０７は、書き換えた停電監視図をモニタ２０４に表示し、停電監視処理を終了する(ステップＳ１１０)。
【００２５】
本発明の実施の形態では、停電と判定されたエリアを多角形で表示する例を挙げたが、これに限らず予め想定される範囲があるときはそのマップに従い該当する範囲を赤色で表示してもよい。またはその範囲の道路や河川を赤色で表示してもよい。また、本発明の実施の形態では、停電が発生しているＣＣＴＶ設備や停電エリアを赤色で表示するとしたが、表示色は赤色に限定されることは無い。
【００２６】
このような実施の形態によれば、ＣＣＴＶ設備に供給されている電源を監視することで、ＣＣＴＶ設備が設置されている区間が停電しているかを監視することができる停電監視システムと停電監視方法を提供できる。
【００２７】
(第２の実施の形態)
本発明の第２の実施の形態は、カメラ端局の異常状態を切り分けてＣＣＴＶ設備の異常状態を判断する例として、ネットワーク監視機能とカメラヘルスチェック機能を利用する例を挙げたもので、ネットワークの通信異常を原因とする異常状態とカメラ端局の異常状態を切り分けて判定することができる。また、このシステムは、第１の電源停電検出機能を備えると共に、ＣＣＴＶ設備の自動点検、担当メーカへの連絡を自動的に行うことができるシステムである。したがって、本実施の形態の停電監視システムは、図５に示すように図１の停電監視システムの構成にメールサーバ２０８と自動連絡装置２１０を追加した構成となっている。追加された自動連絡装置２１０はＬＡＮ−ＳＷ２０２に接続され、ネットワーク監視機能２１１、カメラヘルスチェック機能２１２、ＣＣＴＶ設備障害管理データベース２１３、ＷＥＢ配信機能２１４、メール配信機能２１５から構成されている。また、ＬＡＮ−ＳＷ２０２に接続されたメールサーバ２０８が追加されている。その他の構成は第１の実施の形態の図１に示した停電監視システムの構成と同じである。
【００２８】
メールサーバ２０８は、指定された宛先にメールを配信するサーバであり、ＲＡＭやＲＯＭ等の主記憶手段、及びＭＰＵやＣＰＵ等の制御手段を備えている。ネットワーク監視機能２１１は、ネットワークに接続されている機器の生存状態を監視するコマンドであるPINGの実行によりその応答の監視を行い、またネットワークに接続されている機器を監視し管理するプロトコルであるＳＮＭＰによりネットワークに接続されている機器の様々な状態の監視を行う機能である。
カメラヘルスチェック機能２１２は、カメラ装置１１０とカメラ制御装置１２０の状態を取得するカメラ状態取得コマンドを一定周期で実行し、カメラ装置１１０とカメラ制御装置１２０から返信される状態返信コマンドにより障害が発生しているかを監視する機能である。ＣＣＴＶ設備障害管理機能データベース２１３には、ネットワーク監視機能２１１とカメラヘルスチェック機能２１２の監視により検出した障害が図６（ａ）に示すような障害履歴データとして保存される。また、ＣＣＴＶ設備障害管理機能データベース２１３には、装置や機器の担当メーカとその連絡先である担当メーカアドレスが図６（ｂ）に示すような担当メーカデータとして保存されている。ＷＥＢ配信機能２１４は、管理サーバ２０５から障害情報の表示要求が通知されると、ＣＣＴＶ設備障害管理機能データベース２１３から障害履歴データを取り出し、モニタ２０４に障害情報を表示する機能である。メール配信機能２１５は、機器や装置に障害が発生しているかを監視し、障害が発生しているときは、その装置の担当メーカにメールを配信する機能である。メール配信機能２１５は、一定周期でＣＣＴＶ設備障害管理機能データベース２１３から図６（ａ）に示す障害履歴データを読込み、新たな障害が発生しているかを監視する。新たな障害が発生しているときは、ＣＣＴＶ設備障害管理機能データベース２１３から図６（ｂ）に示す担当メーカデータを読込み、担当メーカデータから障害が発生した装置の担当メーカアドレスを取り出す。そしてメール配信機能２１５は、障害が発生した装置の担当メーカに障害装置とその内容をメールで自動送信する。
【００２９】
このような構成の停電監視システムとすることで、ネットワーク監視機能２１１やカメラヘルスチェック２１２によって検出された障害の機器名称・装置名称と障害の内容がＣＣＴＶ設備障害履歴データベース２１３に保存することができる。また、ＷＥＢ配信機能２１４は、ＣＣＴＶ設備障害管理データベース２１３から障害履歴データを取り出しモニタ２０４に表示するので、障害が発生した日時、機器名称・装置名称、その障害の内容である障害発生情報を監視者に提供することができる。また、メール配信機能２１５により障害が発生した装置の担当メーカに自動的に障害発生情報をメールで配信することができる。本実施の形態においても、第１の実施の形態と同様に障害が発生しているエリアを各検出結果に基づいて、モニタ２０４に表示するようにしてもよい。
【００３０】
本実施の形態によれば、ＣＣＴＶ設備が設置されているエリアが停電しているかを監視することができ、更に停電監視システムの機器や装置の障害を検出し、その障害発生情報を自動的に担当メーカに送信することができる停電監視システムと停電監視方法を提供できる。
【００３１】
以上、具体的な実施の形態により本発明を説明したが、上記実施の形態は本発明の例示であり、この実施の形態に限定されないことは言うまでもない。
【００３２】
以上をまとめると、本発明は次のような特徴を有する。
(１)．本発明のＣＣＴＶ設備状態監視システムは、複数のＣＣＴＶ設備を監視するＣＣＴＶ設備状態監視システムであって、複数ヶ所の故障を検出する故障検出手段を備え、前記故障検出手段により前記ＣＣＴＶ設備の故障範囲を切り分けることを特徴としている。
(２)．（１）の前記故障検出手段は、ＣＣＴＶ設備の常用電源とバックアップ電源を監視する電源監視手段と、前記常用電源と前記バックアップ電源の切替情報を監視局に送信する切替情報送信手段と、前記切替情報を受信する前記監視局の受信手段と、複数の前記ＣＣＴＶ設備が前記バックアップ電源に切り替わっているときに、前記バックアップ電源に切り替わっている前記ＣＣＴＶ設備が設置された位置で特定されるエリアを算出するエリア算出手段と、前記エリアを停電と判定する停電判定手段を備えることを特徴としている。
(３)．(１)から(２)の前記故障検出手段は、ネットワーク監視手段と、ＣＣＴＶ設備のヘルスチェック手段と、を備えることを特徴としている。
(４)．(１)から(３)の前記故障検出手段は、前記電源監視手段または前記ネットワーク監視手段、または前記ヘルスチェック手段で検出した障害と前記障害が発生した装置の担当メーカの宛先アドレスを記憶する記憶手段と、前記障害を表示する障害表示手段と、前記障害を前記担当メーカの前記宛先アドレスに配信する障害配信手段と、を備えたことを特徴としている。
(５)．(１)から(４)のＣＣＴＶ設備状態監視システムは、前記故障検出手段により検出された故障状態に基づいて地図上に故障エリアを前記表示手段に表示することを特徴としている。
(６)．本発明のＣＣＴＶ設備状態監視方法は、複数のＣＣＴＶ設備を監視するＣＣＴＶ設備状態監視方法であって、複数ヶ所の故障を検出する故障検出工程を備え、前記故障検出工程により前記ＣＣＴＶ設備の故障範囲を切り分けることを特徴としている。
【産業上の利用可能性】
【００３３】
本発明はＣＣＴＶ設備及びＣＣＴＶ設備における停電監視システムに好適であるが、ＣＣＴＶ設備及びＣＣＴＶ設備における停電監視システムに限られるものではなく、電気機器装置一般に適用可能である。
【図面の簡単な説明】
【００３４】
【図１】本発明の第１の実施の形態に係る停電監視システムの構成を示す図である。
【図２】本発明の第１の実施の形態に係わる停電監視図を示す図である。
【図３】本発明の第１の実施の形態に係る停電監視処理のフローチャートを示す図である。
【図４】本発明の第１の実施の形態に係わるカメラ端局情報テーブルの構成を示す図である。
【図５】本発明の第２の実施の形態に係る停電監視システムの構成を示す図である。
【図６】本発明の第２の実施の形態に係る障害履歴データと担当メーカデータの構成を示す図である。
【符号の説明】
【００３５】
１００・・・・・カメラ端局
１１０・・・・・カメラ装置
１２０・・・・・カメラ制御装置
１２１・・・・・ＩＰエンコーダ部
１２２・・・・・カメラ制御部
１２３・・・・・電源状態伝送部
１２４・・・・・電源部
１２５・・・・・常用電源部
１２６・・・・・バックアップ電源部
１２７・・・・・ＬＡＮ−ＳＷ
１２８・・・・・メディアコンバータ
２００・・・・・監視局
２０１・・・・・メディアコンバータ
２０２・・・・・ＬＡＮ−ＳＷ
２０３・・・・・ＩＰデコーダ部
２０４・・・・・モニタ
２０５・・・・・管理サーバ
２０６・・・・・カメラ装置操作端末
２０７・・・・・停電監視処理部
２０８・・・・・メールサーバ
２１０・・・・・自動連絡装置
２１１・・・・・ネットワーク監視機能
２１２・・・・・カメラヘルスチェック機能
２１３・・・・・ＣＣＴＶ設備障害管理データベース
２１４・・・・・ＷＥＢ配信機能
２１５・・・・・メール配信機能
３００・・・・・ネットワーク
【図１】
2009260616.tif 000003
【図２】
2009260616.tif 000004
【図３】
2009260616.tif 000005
【図４】
2009260616.tif 000006
【図５】
2009260616.tif 000007
【図６】
2009260616.tif 000008